(57)【特許請求の範囲】
【請求項１】
液晶パネルと、該液晶パネルを被装着体に取り付けるための取り付け部と、前記取り付け部の前記被装着体に対する取り付け態様を可変とする可変機構とを設けており、
前記可変機構は、前記液晶パネルの外周側面に沿って設けられた案内レールと、該案内レールとスライド可能に係合すると共に前記取り付け部が取り付けられる軸受部が形成されたスライド部材とを設けており、
前記取り付け部に形成された軸部が前記軸受部に軸承されることにより、前記取り付け部がスライド部材に対して回動可能な構成とされ、
かつ、前記取り付け部が前記案内レールに対して着脱できる構成とされていることを特徴とする液晶表示装置。
【発明の詳細な説明】
【０００１】
【発明の属する技術分野】
本発明は液晶表示装置に係り、特に情報処理機器端末等の被装着体に取り付ける取り付け部を有した液晶表示装置に関する。
【０００２】
近年、液晶表示装置は、情報処理機器端末の表示用ＣＲＴとの置き換えが進みつつあり、価格も従来のＣＲＴに迫る低価格化を強く要求されると共に、その形状も多種多様化してきている。
【従来の技術】
図１及び図２は、従来の一例である液晶表示装置１を示している。図１は従来の液晶表示装置１の斜視図であり、図２は取り付け部５の近傍を拡大して示す断面図である。この液晶表示装置１は、例えば情報処理端末機器等の電子機器に取り付けられるものである。
【０００３】
液晶表示装置１は、大略すると液晶パネル２，ハウジング３，及びバックライト装置（図に現れず）等により構成されている。液晶パネル２は液晶のシャッター機能により画像を表示するものである。
【０００４】
また、液晶パネル２の背面には図示しないバックライト装置の導光板が設けられており、この導光板の両側部には光源部が設けられている。光源部で生成された光は導光板に入射し、導光板内で複数回反射されることにより液晶パネル２に均一に照射される。
【０００５】
上記の液晶パネル２及びバックライト装置は、化粧板となるハウジング３内に装着される。このハウジング３は、図２に示すように、上部ハウジング３ａと下部ハウジング３ｂとにより構成されている。
【０００６】
また、ハウジング３の内部には、液晶パネル２及びバックライト装置を保持する枠体７が配設されている。尚、図１において符号４で示すのは、電子機器と接続するためのコネクタであり、少なくともバックライト装置に接続されている。
【０００７】
上記構成とされた液晶表示装置１を電子機器に取り付けるには、ハウジング３に設けられた取り付け部５を電子機器の所定取り付け位置に固定する。具体的には、取り付け部５に形成されている取り付け孔６に固定ネジを挿通し、この固定ネジを電子機器の所定取り付け位置に形成されているネジ孔に螺着する。これにより、液晶表示装置１は電子機器に取り付けられる。
【０００８】
【発明が解決しようとする課題】
ところで、液晶表示装置が配設される電子機器の仕様は各種各様であり、また電子機器の製造メーカ毎に仕様が異なる場合もある。このように、電子機器の仕様が異なると、これに伴い液晶表示装置１の取り付け構造が電子機器毎に異なってしまう。
【０００９】
例えば図１に示す仕様では、取り付け部５をハウジング３の四隅位置に配設した取り付け構造としている。これに対し、例えば他の電子機器の仕様では、同じ液晶パネル２を用いた液晶表示装置を取り付けるのに、ハウジング３の側部中央位置を取り付け位置とする仕様のものが存在する。この場合、図１に一点鎖線で示すように、ハウジング３の側部中央位置に取り付け部５Ａを設ける必要がある。
【００１０】
従来では、上記のように取り付け部５の配設位置が電子機器の仕様毎に異なるため、電子機器の仕様に合致した取り付け部５を有する液晶表示装置１を電子機器の仕様毎に製作していた。
このため、液晶パネル２自体は同一であるにも拘わらず、取り付け部５の仕様が異なるだけの理由で多種の液晶表示装置１を作製していたため開発コストが増大し、これにより製品コストも上昇してしまうという問題点があった。
また、液晶表示装置１を開発するのに時間を要するため、ライフサイクルの速い携帯端末器機等の電子機器においては、液晶表示装置１の開発が早期製品化を阻害する要因になるという問題点もあった。
【００１１】
本発明は上記の点に鑑みてなされたものであり、製品コストの低減及び開発期間の短縮を図りうる液晶表示装置を提供することを目的とする。
【００１２】
【課題を解決するための手段】
上記の課題を解決するために本発明では、次に述べる各手段を講じたことを特徴とするものである。
【００１３】
請求項１記載の発明に係る液晶表示装置は、
液晶パネルと、該液晶パネルを被装着体に取り付けるための取り付け部と、前記取り付け部の前記被装着体に対する取り付け態様を可変とする可変機構とを設けており、
前記可変機構は、前記液晶パネルの外周側面に沿って設けられた案内レールと、該案内レールに係合すると共に前記取り付け部が取り付けられる軸受部が形成されたスライド部材とを設けており、
前記スライド部材が前記案内レールに沿って移動することにより前記取り付け部が前記案内レールにスライド可能な構成とされ、
前記取り付け部に形成された軸部が前記軸受部に軸承されることにより、前記取り付け部がスライド部材に対して回動可能な構成とされ、
かつ、前記取り付け部が前記案内レールに対して着脱できる構成とされていることを特徴とするものである。
【００１４】
上記発明によれば、可変機構により取り付け部の被装着体に対する取り付け態様を可変できるため、取り付け位置及び取り付け方向がそれぞれ異なる種々の被装着体に対し、液晶表示装置を装着することが可能となる。このため、被装着体毎に個別に液晶表示装置を作製する必要がなくなり、液晶表示装置のコスト低減を図ることができる。
【００２３】
【発明の実施の形態】
次に、本発明の実施の形態について図面と共に説明する。
【００２４】
図３は本発明の一実施例である液晶表示装置１０の要部を示す斜視図であり、図４乃至図７は液晶表示装置１０に配設される可変機構１５の構成及び動作を説明するための図である。
【００２５】
液晶表示装置１０は、大略すると液晶パネル１２，ハウジング１３，及びバックライト装置（図示せず）等により構成されている。液晶パネル１２は液晶のシャッター機能により画像を表示するものである。この液晶パネル２の背面には図示しないバックライト装置が設けられている。この液晶パネル１２及びバックライト装置は、化粧板となるハウジング１３内に装着される。尚、バックライト装置は、周知のものを使用することができる。
【００２６】
上記構成とされた液晶表示装置１０を被装着体となる電子機器に取り付けるには、取り付け部となる回動部材１６と、電子機器に設けられている被取り付け部（図示せず）とを固定する。
具体的には、回動部材１６にはネジ孔である取り付け孔１９が形成されており、この取り付け孔１９に電子機器の被取り付け部を介して固定ネジを螺着し、これにより回動部材１６と電子機器の被取り付け部とを固定する。これにより、液晶表示装置１０は、電子機器に取り付けられる。
【００２７】
本実施例では、取り付け部となる回動部材１６はハウジング１３に固定されてはおらず、可変機構１５によりハウジング１３に対して可変可能な構成とされている。可変機構１５は、図４に拡大して示すように、回動部材１６，スライド部材１７，案内レール１８等により構成されている。
【００２８】
回動部材１６は、例えば樹脂成形品であり、前記したようにその一面に固定ネジが螺着される取り付け孔１９が形成されている。また、回動部材１６の両側面には、一対の軸部２０が一体的に形成されている。軸部２０の軸方向は、取り付け孔１９の中心線に対して略直交するよう構成されている。
【００２９】
スライド部材１７は、例えば樹脂成形品であり、図４において左側面視した状態で略コ字上の形状を有している。具体的には、爪部２１ａを有した上部アーム部２１と、爪部２２ａを有した下部アーム部２２とを有し、この各アーム部２１，２２の間には略Ｕ字溝により構成される軸受部２３が形成されている。また、各アーム部２１，２２は、図中上下に若干量だけ弾性変形可能な構成とされている。
【００３０】
前記した回動部材１６は、スライド部材１７の軸受部２３に装着される。この装着状態において、回動部材１６に形成された軸部２０は軸受部２３に回動可能に軸承される。これにより、回動部材１６は、スライド部材１７に対して図３及び図５に矢印Ａ１，Ａ２で示す方向に回動可能な構成となる。
【００３１】
案内レール１８は、ハウジング１３の側面に形成されている。この案内レール１８は、ハウジング１３の側面に沿って図３に矢印Ｘ１，Ｘ２で示す方向に延在するよう形成されている。また、案内レール１８は対向配設された一対の段差部２４を有しており、この段差部２４は案内レール１８の形成範囲にわたり形成されている。
【００３２】
前記したスライド部材１７は、回動部材１６が組み付けられた上で案内レール１８に装着される。この装着された状態において、各アーム部２１，２２に形成された爪部２１ａ，２２ａは、案内レール１８に形成された段差部２４と係合するよう構成されている（図５参照）。このように、爪部２１ａ，２２ａが案内レール１８の段差部２４と係合することにより、スライド部材１７は案内レール１８から離脱することなく、図３に矢印Ｘ１，Ｘ２で示す方向にスライド可能な構成となる。
【００３３】
上記したように本実施例に係る液晶表示装置１０では、可変機構１５により回動部材１６がハウジング１３に対して移動するため、回動部材１６を電子機器の被取り付け部の態様（取り付け位置及び取り付け方向）に対応させることができる。これにより、取り付け位置及び取り付け方向が異なる種々の電子機器に対し、液晶表示装置１０を装着することが可能となる。このため、電子機器の被取り付け部の態様毎に個別に液晶表示装置を作製する必要がなくなり、液晶表示装置１０のコスト低減を図ることができる。
【００３４】
具体的には、回動部材１６が図中矢印Ａ１，Ａ２方向に回動することにより、取り付け孔１９は固定ネジが螺着される方向を可変することができる。図６及び図７は、図３及び図５に示す状態より回動部材１６を図中矢印Ａ１方向に略９０度回動させることにより、取り付け孔１９が上方に向くように可変したものである。このように、取り付け孔１９の方向は、約１８０度の範囲にわたり、任意に設定することができる。
【００３５】
また、回動部材１６は、スライド部材１７が案内レール１８に沿って矢印Ｘ１，Ｘ２方向に移動することにより、取り付け孔１９の位置をハウジング１３の側面の任意位置に設定することができる。更に、スライド部材１７は案内レール１８に対し着脱可能な構成であるため、案内レール１８に配設する回動部材１６の数も任意に設定することができる。
【００３６】
即ち、図３に示す例では、可変機構１５（スライド部材１７）を２個配設し、これにより２箇所において回動部材１６と電子機器とを固定する構成としたが、可変機構１５（スライド部材１７）を１個取り外すことにより、１箇所において回動部材１６と電子機器とを固定する構成とすることも可能である。
【００３７】
また、可変機構１５（スライド部材１７）を複数個取り外すことにより、３箇所以上において回動部材１６と電子機器とを固定する構成とすることも可能である。このように本実施例に係る液晶表示装置１０では、取り付け部となる回動部材１６の配設数及び配設位置を任意に設定することができる。よって、上記したように電子機器の被取り付け部の態様が種々存在しても、これに対応することが可能となる。
【００３８】
【発明の効果】
上述の如く本発明によれば、可変機構により取り付け部の被装着体に対する取り付け態様を可変できるため、取り付け位置及び取り付け方向がそれぞれ異なる種々の被装着体に対し、液晶表示装置を装着することが可能となる。このため、被装着体毎に個別に液晶表示装置を作製する必要がなくなり、液晶表示装置のコスト低減を図ることができる。
【図面の簡単な説明】
【図１】従来の一例である液晶表示装置の斜視図である。
【図２】従来の一例である液晶表示装置の取り付け部近傍を拡大して示す断面図である。
【図３】本発明の一実施例である液晶表示装置の取り付け部を拡大して示す斜視図である。
【図４】本発明の一実施例である液晶表示装置の取り付け部近傍を拡大して示す分解斜視図である。
【図５】本発明の一実施例である液晶表示装置の取り付け部近傍を拡大して示す断面図である。
【図６】本発明の一実施例である液晶表示装置の取り付け部を拡大して示しており、取り付け孔が上方に向いた状態を示す斜視図である。
【図７】本発明の一実施例である液晶表示装置の取り付け部を拡大して示しており、取り付け孔が上方に向いた状態を示す断面図である。
【符号の説明】
１０  液晶表示装置
１２  液晶パネル
１３  ハウジング
１５  可変機構
１６  回動部材
１７  スライド部材
１８  案内レール
１９  取り付け孔
２０  軸部
２１  上部アーム部
２２  下部アーム部
２３  軸受部
２４  段差部
【図１】
0003943921.tif 000002
【図２】
0003943921.tif 000003
【図３】
0003943921.tif 000004
【図４】
0003943921.tif 000005
【図５】
0003943921.tif 000006
【図６】
0003943921.tif 000007
【図７】
0003943921.tif 000008